(57)【特許請求の範囲】
【請求項１】
表示部と、
原稿の画像をＦＡＸ送信すべき宛先となるＦＡＸ番号を受け付ける受付部と、
前記ＦＡＸ番号を用いた検索要求がネットワーク経由で検索サーバへ送信されたことに応じて前記検索サーバから前記ネットワーク経由で受信された検索結果と、宛先に関する第１の文字列とに基づき、前記ＦＡＸ番号に対応する宛先情報が検出されたか否か判定する判定部と、
前記宛先情報が検出された場合に、前記ＦＡＸ番号と前記宛先情報とを含む第１の表示情報を前記表示部に表示させ、前記宛先情報が検出されなかった場合、前記ＦＡＸ番号と前記ＦＡＸ番号の確認を促すメッセージとを含む第２の表示情報を前記表示部に表示させる表示制御部と、
前記ＦＡＸ番号に近似した近似ＦＡＸ番号を作成する作成部と、
を備え、
前記判定部は、前記近似ＦＡＸ番号を用いた検索要求がネットワーク経由で検索サーバへ送信されたことに応じて前記検索サーバから前記ネットワーク経由で受信された第２の検索結果と前記第１の文字列とに基づき、前記近似ＦＡＸ番号に対応する宛先情報が検出されたか否か判定し、
前記表示制御部は、前記ＦＡＸ番号に対応する前記宛先情報が検出されず且つ前記近似ＦＡＸ番号に対応する宛先情報が検出された場合、前記ＦＡＸ番号と前記メッセージと前記近似ＦＡＸ番号とを含む前記第２の表示情報を前記表示部に表示させる
情報処理装置。
【請求項２】
前記作成部は、前記受付部で受け付けられた前記ＦＡＸ番号を加工して、前記近似ＦＡＸ番号を作成する
請求項１に記載の情報処理装置。
【請求項３】
前記作成部は、前記受付部で受け付けられたＦＡＸ番号のうちの一部の番号を異なる番号に置き換えて、前記近似ＦＡＸ番号を作成する
請求項２に記載の情報処理装置。
【請求項４】
前記検索要求は、ｈｔｔｐリクエストを含み、
前記検索結果は、ｈｔｔｐレスポンスを含み、
前記判定部は、前記第１の文字列が前記ｈｔｔｐレスポンスに含まれている場合、前記ＦＡＸ番号に対応する前記宛先情報が検出されたと判定し、前記第１の文字列が前記ｈｔｔｐレスポンスに含まれていない場合、前記ＦＡＸ番号に対応する前記宛先情報が検出されなかったと判定する
請求項１から３のいずれか１項に記載の情報処理装置。
【請求項５】
前記表示制御部は、前記ＦＡＸ番号の送信履歴が記憶部に記憶されている場合、前記ＦＡＸ番号と前記送信履歴とを含む第３の表示情報を前記表示部に表示させ、前記送信履歴が前記記憶部に記憶されておらず且つ前記検索結果に基づき前記ＦＡＸ番号に対応する前記宛先情報が検出された場合、前記第１の表示情報を前記表示部に表示させ、前記送信履歴が前記記憶部に記憶されておらず且つ前記検索結果に基づき前記ＦＡＸ番号に対応する前記宛先情報が検出されなかった場合、前記第２の表示情報を前記表示部に表示させる
請求項１から４のいずれか１項に記載の情報処理装置。
【請求項６】
前記原稿の画像に対する文字認識処理を行って、原稿の使用期限に関する第２の文字列を抽出する抽出部と、
前記第２の文字列と現在の時刻に関する情報とに基づいて、前記原稿が有効であるか無効であるかを判断する判断部と、
をさらに備えた
請求項１から４のいずれか１項に記載の情報処理装置。
【請求項７】
前記原稿の画像に対する文字認識処理を行って、原稿の種類に関する第３の文字列を抽出する抽出部と、
前記第３の文字列に応じて前記第１の文字列を特定する特定部と、
をさらに備え、
前記判定部は、前記検索結果と前記特定された前記第１の文字列とに基づき、前記ＦＡＸ番号に対応する前記宛先情報が検出されたか否か判定する
請求項１から４のいずれか１項に記載の情報処理装置。
【請求項８】
前記原稿は、処方箋を含み、
前記第１の文字列は、薬局に関する文字を含む
請求項１から７のいずれか１項に記載の情報処理装置。
【請求項９】
情報処理装置と、
前記情報処理装置に接続された本体装置と、
を備え、
前記情報処理装置は、
表示部と、
原稿の画像をＦＡＸ送信すべき宛先となるＦＡＸ番号を受け付ける受付部と、
前記ＦＡＸ番号を用いた検索要求がネットワーク経由で検索サーバへ送信されたことに応じて前記検索サーバから前記ネットワーク経由で受信された検索結果と、宛先に関する第１の文字列とに基づき、前記ＦＡＸ番号に対応する宛先情報が検出されたか否か判定する判定部と、
前記宛先情報が検出された場合に、前記ＦＡＸ番号と前記宛先情報とを含む第１の表示情報を前記表示部に表示させ、前記宛先情報が検出されなかった場合、前記ＦＡＸ番号と前記ＦＡＸ番号の確認を促すメッセージとを含む第２の表示情報を前記表示部に表示させる表示制御部と、
前記ＦＡＸ番号に近似した近似ＦＡＸ番号を作成する作成部と、
を有し、
前記本体装置は、
原稿の画像を取得する取得部と、
前記受付部で受け付けられた前記検索要求を前記ネットワーク経由で前記検索サーバへ送信する送信部と、
前記検索要求に応じた前記検索結果を前記ネットワーク経由で前記検索サーバから受信する受信部と、
を有し、
前記判定部は、前記検索結果に基づく情報を前記受信部から受け、前記近似ＦＡＸ番号を用いた検索要求がネットワーク経由で検索サーバへ送信されたことに応じて前記検索サーバから前記ネットワーク経由で受信された第２の検索結果と前記第１の文字列とに基づき、前記近似ＦＡＸ番号に対応する宛先情報が検出されたか否か判定し、
前記表示制御部は、前記ＦＡＸ番号に対応する前記宛先情報が検出されず且つ前記近似ＦＡＸ番号に対応する宛先情報が検出された場合、前記ＦＡＸ番号と前記メッセージと前記近似ＦＡＸ番号とを含む前記第２の表示情報を前記表示部に表示させる
画像処理装置。
【請求項１０】
表示部と、
原稿の画像を取得する取得部と、
前記取得部で取得された原稿の画像を送信すべき宛先となるＦＡＸ番号を受け付ける受付部と、
前記ＦＡＸ番号を用いた検索要求をネットワーク経由で検索サーバへ送信する送信部と、
前記検索要求に応じた検索結果を前記ネットワーク経由で前記検索サーバから受信する受信部と、
前記検索結果と宛先に関する第１の文字列とに基づき、前記ＦＡＸ番号に対応する宛先情報が検出されたか否か判定する判定部と、
前記宛先情報が検出された場合、前記ＦＡＸ番号と前記宛先情報とを含む第１の表示情報を前記表示部に表示させ、前記宛先情報が検出されなかった場合、前記ＦＡＸ番号と前記ＦＡＸ番号の確認を促すメッセージとを含む第２の表示情報を前記表示部に表示させる表示制御部と、
前記ＦＡＸ番号に近似した近似ＦＡＸ番号を作成する作成部と、
を備え、
前記判定部は、前記近似ＦＡＸ番号を用いた検索要求がネットワーク経由で検索サーバへ送信されたことに応じて前記検索サーバから前記ネットワーク経由で受信された第２の検索結果と前記第１の文字列とに基づき、前記近似ＦＡＸ番号に対応する宛先情報が検出されたか否か判定し、
前記表示制御部は、前記ＦＡＸ番号に対応する前記宛先情報が検出されず且つ前記近似ＦＡＸ番号に対応する宛先情報が検出された場合、前記ＦＡＸ番号と前記メッセージと前記近似ＦＡＸ番号とを含む前記第２の表示情報を前記表示部に表示させる
情報処理システム。
【請求項１１】
表示部を有する画像処理装置における制御方法であって、
原稿の画像を送信すべき宛先となるＦＡＸ番号を受け付ける受付ステップと、
前記ＦＡＸ番号を用いた検索要求をネットワーク経由で検索サーバへ送信する送信ステップと、
前記検索要求に応じた検索結果を前記ネットワーク経由で前記検索サーバから受信する受信ステップと、
前記検索結果と宛先に関する第１の文字列とに基づき、前記ＦＡＸ番号に対応する宛先情報が検出されたか否か判定する第１の判定ステップと、
前記宛先情報が検出された場合、前記ＦＡＸ番号と前記宛先情報とを含む第１の表示情報を前記表示部に表示させる第１の表示制御ステップと、
前記ＦＡＸ番号に近似した近似ＦＡＸ番号を作成する作成ステップと、
前記近似ＦＡＸ番号を用いた検索要求がネットワーク経由で検索サーバへ送信されたことに応じて前記検索サーバから前記ネットワーク経由で受信された第２の検索結果と前記第１の文字列とに基づき、前記近似ＦＡＸ番号に対応する宛先情報が検出されたか否か判定する第２の判定ステップと、
前記ＦＡＸ番号に対応する前記宛先情報が検出されず且つ前記近似ＦＡＸ番号に対応する宛先情報が検出された場合、前記ＦＡＸ番号と前記ＦＡＸ番号の確認を促すメッセージと前記近似ＦＡＸ番号とを含む第２の表示情報を前記表示部に表示させる第２の表示制御ステップと、
を備えた制御方法。
【請求項１２】
表示部を有する画像処理装置に、
原稿の画像を送信すべき宛先となるＦＡＸ番号を受け付ける受付ステップと、
前記ＦＡＸ番号を用いた検索要求をネットワーク経由で検索サーバへ送信する送信ステップと、
前記検索要求に応じた検索結果を前記ネットワーク経由で前記検索サーバから受信する受信ステップと、
前記検索結果と宛先に関する第１の文字列とに基づき、前記ＦＡＸ番号に対応する宛先情報が検出されたか否か判定する第１の判定ステップと、
前記宛先情報が検出された場合、前記ＦＡＸ番号と前記宛先情報とを含む第１の表示情報を前記表示部に表示させる第１の表示制御ステップと、
前記ＦＡＸ番号に近似した近似ＦＡＸ番号を作成する作成ステップと、
前記近似ＦＡＸ番号を用いた検索要求がネットワーク経由で検索サーバへ送信されたことに応じて前記検索サーバから前記ネットワーク経由で受信された第２の検索結果と前記第１の文字列とに基づき、前記近似ＦＡＸ番号に対応する宛先情報が検出されたか否か判定する第２の判定ステップと、
前記ＦＡＸ番号に対応する前記宛先情報が検出されず且つ前記近似ＦＡＸ番号に対応する宛先情報が検出された場合、前記ＦＡＸ番号と前記ＦＡＸ番号の確認を促すメッセージと前記近似ＦＡＸ番号とを含む第２の表示情報を前記表示部に表示させる第２の表示制御ステップと、
を実行させるプログラム。
【発明の詳細な説明】
【技術分野】
【０００１】
本発明は、情報処理装置、画像処理装置、情報処理システム、制御方法、及びプログラムに関する。
【背景技術】
【０００２】
ＭＦＰ（Ｍｕｌｔｉ−Ｆｕｎｃｔｉｏｎ  Ｐｅｒｉｐｈｅｒａｌ）などの画像処理装置では、コピー、プリンタ、スキャナ、ＦＡＸなどの複数の機能から所望の機能が選択される。例えば、画像処理装置では、ＦＡＸ機能が選択された場合、原稿の画像が取得されるとともに、原稿の画像をＦＡＸ送信すべき宛先となるＦＡＸ番号が受け付けられる。例えば、病院で処方された薬の受け取りフローとして、「医療機関で処方箋を受け取り、共有のＭＦＰからＦＡＸ機能で薬局に送信し、その薬局に薬を受け取りにいく」というフローがある。このフローによれば、事前に必要な薬を病院から薬局へ伝えておくことで、薬局での薬の受け取りをスムーズに行うことができる。
【発明の概要】
【発明が解決しようとする課題】
【０００３】
しかし、画像処理装置では、ＦＡＸ番号が誤って入力された場合、原稿の画像を誤った宛先に送信してしまう可能性がある。例えば、上記のフローでは、患者が共有ＭＦＰから処方箋をスキャンし、ＦＡＸ送信する際、ＦＡＸ番号を誤って入力してしまうことがある。これにより、処方箋（原稿）をＦＡＸにより間違った宛先に送信（誤送信）してしまい、個人情報が流出してしまう可能性がある。
【０００４】
本発明は、上記に鑑みてなされたものであって、ＦＡＸによる原稿の誤送信を抑制できる情報処理装置、画像処理装置、情報処理システム、制御方法、及びプログラムを提供することを目的とする。
【課題を解決するための手段】
【０００５】
上述した課題を解決し、目的を達成するために、本発明にかかる情報処理装置は、表示部と、原稿の画像をＦＡＸ送信すべき宛先となるＦＡＸ番号を受け付ける受付部と、前記ＦＡＸ番号を用いた検索要求がネットワーク経由で検索サーバへ送信されたことに応じて前記検索サーバから前記ネットワーク経由で受信された検索結果と、宛先に関する第１の文字列とに基づき、前記ＦＡＸ番号に対応する宛先情報が検出されたか否か判定する判定部と、前記宛先情報が検出された場合に、前記ＦＡＸ番号と前記宛先情報とを含む第１の表示情報を前記表示部に表示させ、前記宛先情報が検出されなかった場合、前記ＦＡＸ番号と前記ＦＡＸ番号の確認を促すメッセージとを含む第２の表示情報を前記表示部に表示させる表示制御部と、前記ＦＡＸ番号に近似した近似ＦＡＸ番号を作成する作成部とを備え、前記判定部は、前記近似ＦＡＸ番号を用いた検索要求がネットワーク経由で検索サーバへ送信されたことに応じて前記検索サーバから前記ネットワーク経由で受信された第２の検索結果と前記第１の文字列とに基づき、前記近似ＦＡＸ番号に対応する宛先情報が検出されたか否か判定し、前記表示制御部は、前記ＦＡＸ番号に対応する前記宛先情報が検出されず且つ前記近似ＦＡＸ番号に対応する宛先情報が検出された場合、前記ＦＡＸ番号と前記メッセージと前記近似ＦＡＸ番号とを含む前記第２の表示情報を前記表示部に表示させることを特徴とする。
【発明の効果】
【０００６】
本発明によれば、ＦＡＸによる原稿の誤送信を抑制できる。
【図面の簡単な説明】
【０００７】
【図１】第１の実施形態にかかる画像処理装置を含むシステムの構成を示す図。
【図２】第１の実施形態にかかる画像処理装置のハードウェア構成を示す図。
【図３】第１の実施形態における検索サーバのハードウェア構成を示す図。
【図４】第１の実施形態における画像処理装置及び検索サーバの機能構成を示す図。
【図５】第１の実施形態にかかる画像処理装置の動作を示すフローチャート。
【図６】第１の実施形態における表示部の動作を示す図。
【図７】第１の実施形態における表示部の動作を示す図。
【図８】第１の実施形態における表示部の動作を示す図。
【図９】第１の実施形態における検索確認処理の詳細を示すフローチャート。
【図１０】第１の実施形態におけるｈｔｔｐレスポンスの内容を示す図。
【図１１】第２の実施形態における画像処理装置及び検索サーバの機能構成を示す図。
【図１２】第２の実施形態にかかる画像処理装置の動作を示すフローチャート。
【図１３】第２の実施形態における表示部の動作を示す図。
【図１４】第３の実施形態における画像処理装置及び検索サーバの機能構成を示す図。
【図１５】第３の実施形態にかかる画像処理装置の動作を示すフローチャート。
【図１６】第３の実施形態における表示部の動作を示す図。
【図１７】第３の実施形態における表示部の動作を示す図。
【図１８】第４の実施形態における画像処理装置及び検索サーバの機能構成を示す図。
【図１９】第４の実施形態にかかる画像処理装置の動作を示すフローチャート。
【図２０】第４の実施形態におけるスキャンデータを示す図。
【図２１】第４の実施形態における表示部の動作を示す図。
【図２２】第５の実施形態における画像処理装置及び検索サーバの機能構成を示す図。
【図２３】第５の実施形態にかかる画像処理装置の動作を示すフローチャート。
【図２４】第５の実施形態における表示部の動作を示す図。
【図２５】第６の実施形態における画像処理装置及び検索サーバの機能構成を示す図。
【図２６】第６の実施形態にかかる画像処理装置の動作を示すフローチャート。
【図２７】第６の実施形態におけるスキャンデータを示す図。
【図２８】第６の実施形態における表示部の動作を示す図。
【発明を実施するための形態】
【０００８】
以下に添付図面を参照して、実施形態にかかる画像処理装置を詳細に説明する。なお、これらの実施形態により本発明が限定されるものではない。
【０００９】
（第１の実施形態）
第１の実施形態にかかる画像処理装置１００を含むシステム（情報処理システム）１について図１を用いて説明する。図１は、画像処理装置１００を含むシステムの構成を示す図である。システム１において、画像処理装置１００は、公衆回線網３を介してＦＡＸ装置３００，４００と接続されている。また、画像処理装置１００は、ネットワーク２を介して検索サーバ２００と接続されている。
【００１０】
ここで、画像処理装置１００は、コピー、プリンタ、スキャナ、ＦＡＸなどの複数の機能を有する装置であり、画像の送信が可能な装置である。画像処理装置１００は、例えば、ＭＦＰ（Ｍｕｌｔｉ−Ｆｕｎｃｔｉｏｎ  Ｐｅｒｉｐｈｅｒａｌ）である。公衆回線網３は、例えば、拠点間を結ぶ通信回線において、不特定多数の利用者によって共有して利用される電話回線網である。ＦＡＸ装置３００，４００は、紙媒体における文書や画像を電話回線によって遠隔地まで送信する装置である。ネットワーク２は、例えば、インターネット等の拠点間を結ぶ通信回線網である。
【００１１】
次に、画像処理装置１００のハードウェア構成について図２を用いて説明する。図２は、画像処理装置１００のハードウェア構成を示す図である。
【００１２】
画像処理装置１００は、本体６０及び操作部７０を有する。本体６０は、プリンタ機能、コピー機能、スキャナ機能、ファックス機能等の各種の機能を実現可能である。操作部７０は、ユーザ操作に応じた入力を受け付ける。
【００１３】
なお、ユーザの操作を受け付けるとは、ユーザの操作に応じて入力される情報（画面の座標値を示す信号等を含む）を受け付けることを含む概念である。本体６０と操作部７０とは、専用の通信路ＣＰを介して相互に通信可能に接続されている。通信路ＣＰは、例えば、ＵＳＢ（Ｕｎｉｖｅｒｓａｌ  Ｓｅｒｉａｌ  Ｂｕｓ）規格を用いることができるが、有線又は無線を問わず任意の規格であってもよい。
【００１４】
本体６０は、操作部７０によって受け付けられた入力に応じた動作を行なう。また、本体６０は、任意の外部装置と通信可能であり、外部装置から受信される指示に応じた動作を行なうこともできる。
【００１５】
本体６０は、コントローラ２０、ＨＤＤ（Ｈａｒｄ  Ｄｉｓｋ  Ｄｒｉｖｅ）３０、エンジン４０、読取部（スキャナ）４１、及びＦＣＵ５０を有する。コントローラ２０は、画像処理装置１００の状態管理やジョブの制御を行う。
【００１６】
コントローラ２０は、バス３１、ＣＰＵ２１、プログラムＲＯＭ２２、ＲＡＭ２３、不揮発性メモリ２４、ネットワークＩ／Ｆ（Ｉｎｔｅｒｆａｃｅ）２５、操作部Ｉ／Ｆ２６、ＨＤＤ  Ｉ／Ｆ２７、エンジンＩ／Ｆ２８、及びＦＣＵ  Ｉ／Ｆ２９を有する。ＣＰＵ２１、プログラムＲＯＭ２２、ＲＡＭ２３、不揮発性メモリ２４、ネットワークＩ／Ｆ（Ｉｎｔｅｒｆａｃｅ）２５、操作部Ｉ／Ｆ２６、ＨＤＤ  Ｉ／Ｆ２７、エンジンＩ／Ｆ２８、及びＦＣＵ  Ｉ／Ｆ２９は、バス３１を介して互いに接続されている。
【００１７】
ＣＰＵ２１は、本体６０の動作を統括的に制御する。ＣＰＵ２１は、ＲＡＭ２３をワークエリア（作業領域）として、プログラムＲＯＭ２２又はＨＤＤ３０等に格納されたプログラム（例えば、電源管理、ジョブ制御に関連するプログラム）を実行することで、本体６０全体の動作を制御する。また、ＣＰＵ２１は、上述したプリンタ機能、コピー機能、スキャナ機能、ファックス機能等の各種機能を実現する。
【００１８】
ＲＡＭ２３は、プログラムの実行領域（ＣＰＵ２１の作業領域）として使用されたり、印刷画像イメージの展開などに使用されたりする。不揮発性メモリ２４は、蓄積文書データの保存や画像イメージの展開に必要なデータなどを格納する。
【００１９】
ネットワークＩ／Ｆ２５は、ネットワーク２を介して外部装置等と通信するためのインタフェースである。操作部Ｉ／Ｆ２６は、通信路ＣＰを介して、操作部７０と通信するためのインタフェースである。ＨＤＤ  Ｉ／Ｆ２７は、ＨＤＤ３０と通信するためのインタフェースである。ＦＣＵ  Ｉ／Ｆ２９は、ＦＣＵ５０と通信するためのインタフェースである。
【００２０】
エンジン４０は、画像処理用のハードウェアである。読取部（スキャナ）４１は、原稿をスキャンして読み取るスキャナ機能を実現させるための、汎用的な情報処理及び通信以外の処理を実行するハードウェアである。読取部４１は、読み取られた画像（例えば、ＦＡＸ送信すべき原稿）をエンジン４０経由でコントローラ２０へ供給する。
【００２１】
ＦＣＵ５０は、ＦＡＸ装置またはモデム機能を有する複写装置などの外部装置との公衆回線網３を介した通信を制御する。また、ＦＣＵ５０は、外部のＦＡＸ装置との間でファクシミリ制御信号を交換し、Ｇ３及びＧ４のファクシミリ通信手順を実行する。
【００２２】
操作部７０は、本体６０とは独立したＣＰＵや記憶領域を持ち、画面表示に関する制御を行う。操作部７０は、バス７８、ＣＰＵ７１、プログラムＲＯＭ７２、ＲＡＭ７３、不揮発性メモリ７４、コントローラＩ／Ｆ７５、表示部７６、及び操作検知部７７を有する。ＣＰＵ７１、プログラムＲＯＭ７２、ＲＡＭ７３、不揮発性メモリ７４、コントローラＩ／Ｆ７５、表示部７６、及び操作検知部７７は、バス７８を介して互いに接続されている。
【００２３】
ＣＰＵ７１は、操作部７０の動作を統括的に制御する。ＣＰＵ７１は、ＲＡＭ７３をワークエリア（作業領域）として、プログラムＲＯＭ７２又は不揮発性メモリ７４等に格納されたプログラム（例えば、ＦＡＸ送信アプリケーションなど）を実行することで、操作部７０全体の動作を制御する。また、ＣＰＵ７１は、ユーザ操作により受け付けられた入力に応じた情報（画像）を表示する等、各種機能を実現する。
【００２４】
ＲＡＭ７３は、プログラムの実行領域（ＣＰＵ７１の作業領域）として使用される。不揮発性メモリ７４は、起動時の初期値や設定可能な項目を格納する。
【００２５】
コントローラＩ／Ｆ７５は、通信網ＣＰを介してコントローラ２０と通信するためのインタフェースである。
【００２６】
表示部（操作パネル）７６は、ユーザ操作に応じた各種の入力を受け付けるとともに、各種の情報を表示する。例えば、各種の情報は、受け付けられた入力に応じた情報、画像処理装置１００の動作状況を示す情報、設定状態を示す情報等が挙げられる。表示部（操作パネル）７６は、タッチパネル機能を搭載した液晶表示装置（ＬＣＤ）により構成されるものとするが、これに限られるものではない。例えば、表示部（操作パネル）７６は、タッチパネル機能が搭載された有機ＥＬ表示装置により構成されてもよい。さらに、これに加えて又はこれに代えて、ハードウェアキー等の操作部材やランプ等の表示部材を設けることもできる。
【００２７】
操作検知部７７は、表示部（操作パネル）７６の表示オブジェクト（ボタンオブジェクト等）を介して受け付けられた指示、又は操作部材（ボタン等）を介して受け付けられた指示を、ＣＰＵ７１へ供給したり、コントローラＩ／Ｆ７５経由でコントローラ２０へ供給したりする。
【００２８】
次に、検索サーバ２００のハードウェア構成について図３を用いて説明する。図３は、検索サーバ２００のハードウェア構成を示す図である。
【００２９】
検索サーバ２００は、バス２１６、ＣＰＵ２１１、ＨＤＤ２１２、ＲＡＭ２１３、ＲＯＭ２１４、及びネットワークＩ／Ｆ２１５を有する。ＣＰＵ２１１、ＨＤＤ２１２、ＲＡＭ２１３、ＲＯＭ２１４、及びネットワークＩ／Ｆ２１５は、バス２１６を介して互いに接続されている。
【００３０】
ＣＰＵ２１１は、ＲＯＭ２１４およびＨＤＤ２１２に記憶されるプログラムに従い、ＲＡＭ２１３をワークメモリとして用いて、この検索サーバ２００の全体を制御する。ＨＤＤ２１２は、ＣＰＵ２１１が実行するためのプログラムや各種データが格納される。ネットワークＩ／Ｆ２１５は、ＣＰＵ２１１の制御に従いネットワーク２を介した通信を行う。
【００３１】
例えば、ネットワークＩ／Ｆ２１５は、検索要求（ｈｔｔｐリクエスト）をネットワーク２経由で画像処理装置１００から受信したら、検索要求をバス２１６経由でＣＰＵ２１１へ供給する。ＣＰＵ２１１は、検索要求に応じた検索処理を行い、検索結果を含む応答（ｈｔｔｐレスポンス）をバス２１６経由でネットワークＩ／Ｆ２１５へ供給する。ネットワークＩ／Ｆ２１５は、検索結果を含む応答（ｈｔｔｐレスポンス）をネットワーク２経由で画像処理装置１００へ送信する。
【００３２】
なお、図３では、検索サーバ２００が１のハードウェア装置から構成されるように示しているが、これはこの例に限定されず、検索サーバ２００を、同等の構成を有する複数のサーバ装置を統合的に制御するシステム（例えば、グリッドコンピューティングシステム）で構成してもよい。また、図３では、ＨＤＤ２１２が１のハードウェアから構成されるように示しているが、これはこの例に限定されず、例えば複数のストレージ装置を１つのＨＤＤ２１２として統合的に管理するようにしてもよい。
【００３３】
画像処理装置１００は、図２に示すように、ＦＡＸ送信アプリケーションを含む各種アプリケーションが搭載された操作部（情報処理装置）７０を有する。操作部７０の表示部７６に表示されるホーム画面には、各アプリケーションのアイコンが並べて配される。画像処理装置１００では、ＦＡＸ送信アプリケーションのアイコンが選択操作されてＦＡＸ送信アプリケーションが起動され、ＦＡＸ機能が選択された場合、原稿の画像が取得されるとともに、原稿の画像をＦＡＸ送信すべき宛先となるＦＡＸ番号が受け付けられる。
【００３４】
例えば、病院で処方された薬の受け取りフローとして、「医療機関で処方箋を受け取り、共有のＭＦＰからＦＡＸ機能で薬局に送信し、その薬局に薬を受け取りにいく」というフローがある。このフローでは、処方箋をＦＡＸ送信する処理に特化した処方箋ＦＡＸアプリケーションが画像処理装置１００に予めインストールされている。画像処理装置１００における操作部７０の表示部７６に表示されるホーム画面には、処方箋ＦＡＸアプリケーションのアイコンとして「処方箋ＦＡＸ」ボタンオブジェクトが表示され得る。画像処理装置１００（ＭＦＰ）において、処方箋ＦＡＸアプリケーションが起動され、処方箋の画像が取得されるとともに、処方箋の画像をＦＡＸ送信すべき薬局のＦＡＸ番号（例えば、ＦＡＸ装置３００のＦＡＸ番号）が受け付けられる。そして、画像処理装置１００（ＭＦＰ）において、操作部７０を介して受け付けられたＦＡＸ送信の指令に基づき、処方箋の画像が公衆回線網３を介して送信される。これにより、事前に必要な薬を病院から薬局（例えば、図１に示すＦＡＸ装置３００）へ伝えておくことで、薬局での薬の受け取りをスムーズに行うことができると期待される。
【００３５】
しかし、画像処理装置１００では、ＦＡＸ番号が誤って入力された場合、原稿の画像を誤った宛先（例えば、図１に示すＦＡＸ装置４００）に誤送信してしまう可能性がある。例えば、上記のフローでは、患者が共有ＭＦＰから処方箋をスキャンし、ＦＡＸ送信する際、ＦＡＸ番号を誤って（例えば、ＦＡＸ装置４００のＦＡＸ番号を）入力してしまうことがある。これにより、処方箋（原稿）をＦＡＸにより間違った宛先（例えば、ＦＡＸ装置４００）に送信（誤送信）してしまい、個人情報が流出してしまう可能性がある。
【００３６】
そこで、本実施形態では、画像処理装置１００において、ＦＡＸ番号を受け付けた際に、ＦＡＸ番号を用いてネットワーク２経由で検索サーバ２００に行わせた検索の結果と宛先に関する第１の文字列（例えば、薬局を示す文字列）とに基づき宛先情報が検出されたか否か判定し、判定結果に応じて宛先情報又は確認を促すメッセージをＦＡＸ番号とともに表示部７６に表示させることで、ＦＡＸ原稿（例えば、処方箋）の誤送信の抑制を図る。
【００３７】
具体的には、画像処理装置１００は、ユーザからＦＡＸ番号を受け付けたことに応じて、ＦＡＸ送信を行う前に、ＦＡＸ番号をキーワードにした検索要求を、検索サービスを提供している検索サーバ２００（図１参照）に送信する。検索要求は、ＦＡＸ番号をキーワードとして含むｈｔｔｐリクエストとすることができる。検索サービスを提供している検索サーバ２００からはＦＡＸ番号に対応する情報が検索結果として返ってくる（受信される）。検索結果は、例えばｈｔｔｐレスポンスとすることができ、ｈｔｔｐレスポンスは、例えば、ＨＴＭＬ形式で記述され得る。画像処理装置１００は、検索結果の中から宛先を示す情報（宛先情報）として薬局情報（薬局名、住所、ビル名、対応薬剤、薬局外観、薬剤調合に要する時間など）を抽出（検出）する。例えば、ＦＡＸ送信アプリケーションが処方箋ＦＡＸアプリケーションであり宛先が薬局であることが分かっている場合、画像処理装置１００は、薬局を示す文字列（例えば、「薬局」、「ファーマシー」、「ドラッグストア」、「くすり」「調剤」など）に基づいて検索結果（ｈｔｔｐレスポンス）から宛先情報を抽出（検出）することができる。画像処理装置１００は、宛先情報が抽出（検出）された場合、宛先情報をＦＡＸ番号とともにユーザに向けて明示的に表示する。これにより、ＦＡＸ番号に対する宛先が適正であるか否かをユーザに確認させることができ、宛先が適正でない場合に誤入力されたＦＡＸ番号を訂正するようにユーザに促すことができる。また、画像処理装置１００は、ＦＡＸ番号から薬局情報を取得できなかった場合、すなわち、宛先情報が抽出（検出）されなかった場合、ＦＡＸ番号の確認を促すメッセージをＦＡＸ番号とともにユーザに向けて明示的に表示する。これにより、誤入力アラートの表示を行い、誤入力されたＦＡＸ番号を訂正するようにユーザに促すことができる。そして、画像処理装置１００は、訂正されたＦＡＸ番号が入力されると、ＦＡＸ送信の指示に応じて、原稿（例えば、処方箋）の画像を適正な宛先（例えば、図１に示すＦＡＸ装置３００）にＦＡＸ送信することができる。
【００３８】
より具体的には、画像処理装置１００は、図４に示すように、表示部１０１、取得部１０２、番号受付部１０３、要求作成部１０４、ネットワーク送信部１０５、ネットワーク受信部１０６、ＦＡＸ送信部１０７、ＦＡＸ受信部１０８、判定部１０９、表示制御部１１０、及び印刷部１１１を有する。検索サーバ２００は、解析部２０１、検索部２０２、送信部２０３、及び受信部２０４を有する。図４は、画像処理装置１００及び検索サーバ２００の機能構成を示す図である。
【００３９】
表示部１０１は、操作部７０の表示部７６（図２参照）に対応している。表示部１０１は、表示制御部１１０の制御に従った情報を画面上に表示する。
【００４０】
取得部１０２は、読取部４１（図２参照）に対応している。取得部１０２は、原稿トレイの付近に配された原稿セットセンサにより原稿トレイへの原稿の挿入が検知されたことに応じて、原稿をスキャンして原稿の画像を取得する。
【００４１】
番号受付部１０３は、操作検知部７７及びＣＰＵ７１（図２参照）に対応し、原稿の画像をＦＡＸ送信すべき宛先となるＦＡＸ番号を受け付ける。番号受付部１０３は、受け付けられたＦＡＸ番号を保持することができる。
【００４２】
要求作成部１０４は、ＣＰＵ７１（図２参照）に対応し、ＦＡＸ番号を番号受付部１０３から受けて、ＦＡＸ番号を用いた検索要求を作成する。要求作成部１０４は、ＦＡＸ番号をキーワードとしてテキスト検索することを要求する検索要求を作成することができる。要求作成部１０４は、検索要求をｈｔｔｐリクエストとしてテキスト形式で作成することができる。要求作成部１０４は、作成された検索要求をネットワーク送信部１０５へ供給する。
【００４３】
ネットワーク送信部１０５は、ネットワークＩ／Ｆ２５（図２参照）に対応している。ネットワーク送信部１０５は、検索要求（ｈｔｔｐリクエスト）をネットワーク２経由で検索サーバ２００へ送信する。
【００４４】
検索サーバ２００の受信部２０４は、ネットワークＩ／Ｆ２１５（図３参照）に対応している。受信部２０４は、検索要求（ｈｔｔｐリクエスト）をネットワーク２経由で画像処理装置１００から受信すると、検索要求を解析部２０１へ供給する。
【００４５】
解析部２０１は、ＣＰＵ２１１（図３参照）に対応している。解析部２０１は、検索要求を解析して、例えば、ＦＡＸ番号をキーワードとしてテキスト検索することを要求する検索要求であることを特定する。解析部２０１は、特定された検索要求を検索部２０２へ供給する。
【００４６】
検索部２０２は、ＣＰＵ２１１及びネットワークＩ／Ｆ２１５（図３参照）に対応している。検索部２０２は、予めネットワークＩ／Ｆ２１５及びネットワーク２経由で収集された複数のサイトの情報をデータベースとして保持している。検索部２０２は、特定された検索要求に従い、データベースにアクセスしてＦＡＸ番号をキーワードとしたテキスト検索を行い、ヒットしたサイトの情報を検索結果として作成する。検索部２０２は、例えば、検索結果をｈｔｔｐレスポンスとしてＨＴＭＬ形式で作成することができる。検索部２０２は、作成した検索結果を送信部２０３へ供給する。
【００４７】
送信部２０３は、ネットワークＩ／Ｆ２１５（図３参照）に対応している。送信部２０３は、検索結果（ｈｔｔｐレスポンス）をネットワーク２経由で画像処理装置１００へ送信する。
【００４８】
画像処理装置１００のネットワーク受信部１０６は、ネットワークＩ／Ｆ２５（図２参照）に対応している。検索結果（ｈｔｔｐレスポンス）をネットワーク２経由で検索サーバ２００から受信する。ネットワーク受信部１０６は、検索結果（ｈｔｔｐレスポンス）を判定部１０９へ供給する。
【００４９】
判定部１０９は、検索結果と宛先に関する第１の文字列とに基づき、ＦＡＸ番号に対応する宛先情報が検出されたか否か判定する。例えば、ＦＡＸ送信アプリケーションが処方箋ＦＡＸアプリケーションであり宛先が薬局であることが分かっている場合、判定部１０９は、薬局を示す文字列（例えば、「薬局」、「ファーマシー」、「ドラッグストア」、「くすり」「調剤」など）が検索結果（ｈｔｔｐレスポンス）に含まれれば、宛先情報が検出されたと判定できる。判定部１０９は、薬局を示す文字列が検索結果に含まれていれば、宛先情報が検出されたと判定できる。判定部１０９は、判定結果を表示制御部１１０へ供給する。
【００５０】
表示制御部１１０は、ＣＰＵ７１（図２参照）に対応している。表示制御部１１０は、判定結果に応じて、表示部１０１に表示すべき情報を制御する。例えば、表示制御部１１０は、ＦＡＸ番号に対応する宛先情報が検出された場合に、ＦＡＸ番号と宛先情報とを含む第１の表示情報（図９参照）を表示部１０１に表示させる。表示制御部１１０は、ＦＡＸ番号に対応する宛先情報が検出されなかった場合、ＦＡＸ番号とＦＡＸ番号の確認を促すメッセージとを含む第２の表示情報（図１０参照）を表示部１０１に表示させる。
【００５１】
番号受付部１０３は、第１の表示情報又は第２の表示情報に応じて、訂正されたＦＡＸ番号を受け付けた場合、保持しているＦＡＸ番号に代えて、訂正されたＦＡＸ番号を保持することができる。
【００５２】
ＦＡＸ送信部１０７は、ＦＣＵ５０（図２参照）に対応している。ＦＡＸ送信部１０７は、ＦＡＸ送信要求を受けた場合、ＦＡＸ番号を番号受付部１０３から取得し、ＦＡＸ番号を用いて公衆回線網３経由でＦＡＸ送信を行う。これにより、原稿（例えば、処方箋）の画像が適正なＦＡＸ装置３００（例えば、薬局内のＦＡＸ装置）へ送信され得る。
【００５３】
ＦＡＸ装置３００は、原稿の画像を公衆回線網３経由で画像処理装置１００から受信する。ＦＡＸ装置３００は、原稿の画像のＦＡＸ受信に成功した場合、その旨の通知を画像処理装置１００に返信する。
【００５４】
ＦＡＸ受信部１０８は、ＦＡＸ受信に成功した旨の通知を公衆回線網３経由でＦＡＸ装置３００から受信し、その通知の情報を印刷部１１１へ供給する。
【００５５】
印刷部１１１は、ＦＡＸ装置３００がＦＡＸ受信に成功した旨の情報を媒体（例えば、紙）上に出力する。これにより、原稿（例えば、処方箋）の画像が適正なＦＡＸ装置３００（例えば、薬局内のＦＡＸ装置）へ送信されたことをユーザに確認させることができる。
【００５６】
次に、画像処理装置１００の動作について図５を用いて説明する。図５は、画像処理装置１００の動作を示すフローチャートである。
【００５７】
ユーザ（患者）が画像処理装置１００（共有ＭＦＰ）で原稿（処方箋）をスキャンしてＦＡＸ送信する場面において、操作部７０の処方箋ＦＡＸアプリケーションにより実現される画像処理装置１００の動作について説明する。画像処理装置１００は、ユーザからの指示に応じて、ホーム画面を表示部１０１（表示部７６）に表示する。ホーム画面上には、処方箋ＦＡＸアプリケーションのアイコンとして「処方箋ＦＡＸ」ボタンオブジェクトが表示され得る。画像処理装置１００は、「処方箋ＦＡＸ」ボタンオブジェクトが押下されたことを検知すると、処方箋ＦＡＸアプリケーションを起動する（Ｓ１）。
【００５８】
画像処理装置１００は、ＦＡＸ番号の入力を受け付ける（Ｓ２）。例えば、画像処理装置１００は、処方箋ＦＡＸアプリケーションが起動されると、図６に示すようなＦＡＸ番号入力画面１０１ａを表示部１０１（表示部７６）に表示する。ＦＡＸ番号入力画面１０１ａは、タッチパネルとして構成され、番号表示ウィンドウ１０１ａ１、番号入力キーオブジェクト群１０１ａ２、及びスタートボタンオブジェクト１０１ａ３を有する。番号入力キーオブジェクト群１０１ａ２から所定のキーオブジェクトが押されると、番号表示ウィンドウ１０１ａ１には、押されたキーオブジェクトに対応した番号が順に追加されて表示される（受付ステップ）。図６では、任意の数字が「Ｘ」で示され、ＦＡＸ番号として「ＸＸＸ−ＸＸＸ−ＸＸＸＸ」が入力された状態が示されている。スタートボタンオブジェクト１０１ａ３は、原稿がセットされていなければ、無効化されている（ユーザからの操作を受け付けない状態になっている）。
【００５９】
画像処理装置１００は、原稿がセットされるまで待機する。画像処理装置１００は、原稿がセットされたことを検知すると、スタートボタンオブジェクト１０１ａ３を有効化する（ユーザからの操作を受け付け可能な状態にする）。画像処理装置１００は、スタートボタン（スタートボタンオブジェクト１０１ａ３）の押下を検知すると、原稿をスキャンして原稿の画像を取得し（Ｓ３）、検索確認処理を行う（Ｓ１０）。
【００６０】
具体的には、画像処理装置１００は、ＦＡＸ番号でネットワーク検索を行う（Ｓ４）。例えば、画像処理装置１００は、ＦＡＸ番号をキーワードにした検索要求（ｈｔｔｐリクエスト）を検索サーバ２００に送信し（送信ステップ）、検索要求に応じた検索結果（ｈｔｔｐレスポンス）を検索サーバ２００から受信する（受信ステップ）。画像処理装置１００は、検索結果の中に薬局を示す文字列（例えば、「薬局」、「ファーマシー」、「ドラッグストア」、「くすり」「調剤」など）が含まれているか否かを判断する（Ｓ５）。すなわち、画像処理装置１００は、検索結果と宛先に関する第１の文字列とに基づき、ＦＡＸ番号に対応する宛先情報が検出されたか否か判定する（判定ステップ）。
【００６１】
画像処理装置１００は、検索結果の中に薬局を示す文字列が含まれている場合（Ｓ５でＹｅｓ）、検索結果から宛先情報を抽出し、図７に示すような宛先確認画面１０１ｂを表示部１０１（表示部７６）に表示する（Ｓ６）。すなわち、画像処理装置１００は、Ｓ２で受け付けられたＦＡＸ番号と検索結果から抽出された宛先情報とを含む第１の表示情報を表示部１０１に表示させる（第１の表示制御ステップ）。宛先確認画面１０１ｂは、表示情報として、ＦＡＸ番号情報１０１ｂ１と宛先情報１０１ｂ２とを含む。また、宛先確認画面１０１ｂは、タッチパネルとして構成され、送信ボタンオブジェクト１０１ｂ３、再入力ボタンオブジェクト１０１ｂ４、及びキャンセルボタンオブジェクト１０１ｂ５を有する。
【００６２】
宛先確認画面１０１ｂにおいて、ＦＡＸ番号情報１０１ｂ１は、Ｓ２で受け付けられたＦＡＸ番号を示している。宛先情報１０１ｂ２は、ＦＡＸ番号の宛先に関する情報としてＳ４の検索結果から抽出された情報を示している。送信ボタンオブジェクト１０１ｂ３は、宛先確認画面１０１ｂが確認された結果、問題ないと判断された場合に押される、ＦＡＸ送信を指示するボタンを示す。再入力ボタンオブジェクト１０１ｂ４は、宛先確認画面１０１ｂが確認された結果、Ｓ２で受け付けられたＦＡＸ番号が誤っており訂正されたＦＡＸ番号の再入力が必要であると判断された場合に押される、再入力を指示するボタンである。キャンセルボタンオブジェクト１０１ｂ５は、ＦＡＸ送信自体をキャンセルすべきであると判断された場合に押される、キャンセルを指示するボタンを示す。
【００６３】
画像処理装置１００は、検索結果の中に薬局を示す文字列が含まれていない場合（Ｓ５でＮｏ）、図８に示すような番号確認画面１０１ｃを表示部１０１（表示部７６）に表示し、宛先（薬局）がネットワーク検索で検出されなかったことをアラート表示する（Ｓ７）。すなわち、画像処理装置１００は、Ｓ２で受け付けられたＦＡＸ番号とＦＡＸ番号の確認を促すメッセージとを含む第２の表示情報を表示部１０１に表示させる（第２の表示制御ステップ）。番号確認画面１０１ｃは、表示情報として、ＦＡＸ番号情報１０１ｃ１とメッセージ情報１０１ｃ２とを含む。また、番号確認画面１０１ｃは、タッチパネルとして構成され、送信ボタンオブジェクト１０１ｃ３、再入力ボタンオブジェクト１０１ｃ４、及びキャンセルボタンオブジェクト１０１ｃ５を有する。
【００６４】
番号確認画面１０１ｃにおいて、ＦＡＸ番号情報１０１ｃ１は、Ｓ２で受け付けられたＦＡＸ番号を示している。メッセージ情報１０１ｃ２は、ＦＡＸ番号の確認を促すメッセージを示している。送信ボタンオブジェクト１０１ｃ３は、番号確認画面１０１ｃが確認された結果、問題ないと判断された場合に押される、ＦＡＸ送信を指示するボタンを示す。再入力ボタンオブジェクト１０１ｃ４は、番号確認画面１０１ｃが確認された結果、Ｓ２で受け付けられたＦＡＸ番号が誤っており訂正されたＦＡＸ番号の再入力が必要であると判断された場合に押される、再入力を指示するボタンである。キャンセルボタンオブジェクト１０１ｃ５は、ＦＡＸ送信自体をキャンセルすべきであると判断された場合に押される、キャンセルを指示するボタンを示す。
【００６５】
画像処理装置１００は、原稿の画像のＦＡＸ送信について、どのボタンが押されたか判断する（Ｓ８）。画像処理装置１００は、送信ボタン（送信ボタンオブジェクト１０１ｂ３，１０１ｃ３）の押下を検知した場合（Ｓ８で送信ボタン押下）、原稿の画像をそのままＦＡＸ送信し（Ｓ９）、ＦＡＸ送信が完了すると、送信完了を示す画面（例えば、メッセージ「送信を完了しました」が表示された画面）を表示部１０１（表示部７６）に表示する。
【００６６】
画像処理装置１００は、再入力ボタン（再入力ボタンオブジェクト１０１ｂ４，１０１ｃ４）の押下を検知した場合（Ｓ８で再入力ボタン押下）、処理をＳ２に戻す。画像処理装置１００は、キャンセルボタン（キャンセルボタンオブジェクト１０１ｂ５，１０１ｃ５）の押下を検知した場合（Ｓ８でキャンセルボタン押下）、処理を終了する。
【００６７】
次に、検索確認処理（Ｓ１０）の詳細について図９を用いて説明する。図９は、検索確認処理（Ｓ１０）の詳細を示すフローチャートである。
【００６８】
画像処理装置１００は、ＦＡＸ番号として「ＸＸＸ−ＸＸＸ−ＸＸＸＸ」が入力され（Ｓ２）、スタートボタン（スタートボタンオブジェクト１０１ａ３）が押されると（Ｓ３）、検索用語として例えば「ＦＡＸ  ＸＸＸ−ＸＸＸ−ＸＸＸＸ」を組み立てる。この検索用語では、ＦＡＸの次の文字はスペースが入っている。画像処理装置１００は、スペース以降の文字をＵＴＦ８に変換し、検索用語を「％Ｅ３％８０％８０ＸＸＸ−ＸＸＸ−ＸＸＸＸ」とする。例えば、画像処理装置１００は、「ＦＡＸ」というキーワードと「番号」というキーワードでＡＮＤ検索させる検索オプションの「＋」文字を入れ、検索用語を「ＦＡＸ＋％Ｅ３％８０％８０ＸＸＸ−ＸＸＸ−ＸＸＸＸ」とすることができる。画像処理装置１００は、検索サーバ２００でｈｔｔｐリクエストさせるためのＵＲＬ「ｈｔｔｐｓ：／／ｗｗｗ．ａｂｃ．ｊｐ／ｓｅａｒｃｈ？ｑ＝ＦＡＸ＋％Ｅ３％８０％８０ＸＸＸ−ＸＸＸ−ＸＸＸＸ」を作成する。画像処理装置１００は、このＵＲＬをｈｔｔｐリクエストとしてネットワーク２経由で検索サーバ２００へ送信する（Ｓ１１）。
【００６９】
すると、検索サーバ２００からネットワーク２経由で画像処理装置１００へｈｔｔｐレスポンスが返って来る（Ｓ１２）。ｈｔｔｐレスポンスの内容は、例えば図１０に示すようにＨＴＭＬ形式で書かれた複数行の文字列を含む。
【００７０】
画像処理装置１００は、返ってきた検索結果のＨＴＭＬから、ＦＡＸ番号に対応する薬局が存在する否かに関する情報を抽出する。検索サーバ２００の場合は、検索キーワードに対する結果が見つかった時に、属性名”ｉｄ”、属性値”ｒｅｓｕｌｔＳｔａｔｓ”を持つＤＩＶ要素に見つかった件数を記述するルールがある。図１０に示すｈｔｔｐレスポンス（ＨＴＭＬ）での例では、７行目に
＜ＤＩＶ  ｉｄ＝”ｒｅｓｕｌｔＳｔａｔｓ”＞３  件＜ＮＯＢＲ＞  （０．１７  秒）＆ｎｂｓｐ；＜／ＮＯＢＲ＞＜／ＤＩＶ＞
と記述されており、３件あることが分かる。
【００７１】
画像処理装置１００は、＜ＤＩＶ  ｉｄ＝”ｒｅｓｕｌｔＳｔａｔｓ”＞がＨＴＭＬに存在するかを検索し（Ｓ１３）、見つからなかったら（Ｓ１４でＮｏ）処理をＳ２４へ進め、見つかったら（Ｓ１４でＹｅｓ）それに続く要素で“件”を含む単語を検索する（Ｓ１５）。例えば図１０の場合、検索でヒットした件数が“３件“であると分かる。
【００７２】
画像処理装置１００は、次に、検索結果の見出し語に薬局が含まれているかを検索する。画像処理装置１００は、検索結果の見出し語に薬局が含まれていない場合（Ｓ１６でＮｏ）、処理をＳ２４へ進める。画像処理装置１００は、検索結果の見出し語に薬局が含まれている、すなわち＜ＤＩＶ  ｉｄ＝”ｒｅｓｕｌｔＳｔａｔｓ”＞要素で１件以上見つけた場合（Ｓ１６でＹｅｓ）、チェックした要素の数をカウントするためのパラメータＭに０をセットする（Ｓ１７）。画像処理装置１００は、＜ＤＩＶ  ｉｄ＝”ｒｅｓｕｌｔＳｔａｔｓ”＞要素に後ろに続くＨＴＭＬ記述で＜Ｈ３＞要素を検索し、その要素の文字列を検索結果の見出し語として抽出する（Ｓ１８）。例えば、画像処理装置１００は、図１０に示すｈｔｔｐレスポンス（ＨＴＭＬ）において、＜Ｈ３＞タグを検索し、１２行目、３０行目、４９行目に見つけることができる。
【００７３】
画像処理装置１００は、この抽出された＜Ｈ３＞タグ要素に薬局を示す文字列（例えば、「薬局」、「ファーマシー」、「ドラッグストア」、「くすり」「調剤」など）が含まれていれば（Ｓ１９で「含まれている」）、「ＦＡＸ  ＸＸＸ−ＸＸＸ−ＸＸＸＸ」に対する薬局が見つかったと判断する。
【００７４】
このとき、画像処理装置１００は、ｈｔｔｐレスポンス（ＨＴＭＬ）内に薬局を示す文字列を含む＜Ｈ３＞タグ要素が複数存在する場合、記載された行数が１番小さい要素を宛先確認画面１０１ｂの宛先情報１０１ｂ２として採用することができる。例えば、図１０に示すｈｔｔｐレスポンス（ＨＴＭＬ）の場合、要素“ＸＹＺ薬局  ＵＶＷ店｜店舗検索｜ＸＹＺ薬局  神奈川  ．．．”を宛先情報１０１ｂ２として採用することができる。記載された行数が１番小さい要素を採用する理由は、検索キーワード「ＦＡＸ  ＸＸＸ−ＸＸＸ−ＸＸＸＸ」で一致度が高いものほど検索順番として先頭側に記載されるためである。
【００７５】
画像処理装置１００は、採用された＜Ｈ３＞タグ要素のアンカータグ＜Ａ＞の要素“ｈｔｔｐ：／／ｗｗｗ．ｘｙｚ．ｊｐ／ｓｔｏｒｅ／ｅｂｉｎａ−ｃｈｕｏ．ｈｔｍｌ“を宛先情報として抽出する（Ｓ２０）。そして、画像処理装置１００は、Ｓ２０で抽出された宛先情報１０１ｂ２を含む、図７に示すような宛先確認画面１０１ｂを表示部１０１（表示部７６）に表示する（Ｓ２１）。宛先確認画面１０１ｂは、表示情報として、ＦＡＸ番号情報１０１ｂ１と宛先情報１０１ｂ２とを含む。画像処理装置１００は、宛先情報１０１ｂ２の「ＵＲＬ」として、Ｓ２０で抽出されたアンカータグ＜Ａ＞の要素を表示する。画像処理装置１００は、宛先情報１０１ｂ２の「詳細」として、採用された＜Ｈ３＞タグ要素の後にある＜ＳＰＡＮ＞タグ要素を抽出して表示する。画像処理装置１００は、要素中に＜ＥＭ＞タグ要素が存在したらボールド字に強調表示することでＦＡＸ番号を目立つようにして確認しやすくする。
【００７６】
一方、画像処理装置１００は、抽出された＜Ｈ３＞タグ要素に薬局を示す文字列が含まれていなければ（Ｓ１９で「含まれていない」）、チェックした要素の数をカウントするためのパラメータＭをインクリメントし（Ｓ２２）、チェックした要素数Ｍが規定要素数Ｎより小さいか否かを判断する（Ｓ２３）。画像処理装置１００は、チェックした要素数Ｍが規定要素数Ｎより小さければ（Ｓ２３でＹｅｓ）、処理をＳ１８に戻す。
【００７７】
画像処理装置１００は、チェックした要素数Ｍが規定要素数Ｎ以上になると（Ｓ２３でＮｏ）、ｈｔｔｐレスポンス（ＨＴＭＬ）に薬局の宛先情報が含まれている可能性が低いものとして、図８に示すような番号確認画面１０１ｃを表示部１０１（表示部７６）に表示する。すなわち、画像処理装置１００は、宛先（薬局）がネットワーク検索で検出されなかったことをアラート表示する（Ｓ２４）。番号確認画面１０１ｃは、表示情報として、ＦＡＸ番号情報１０１ｃ１とメッセージ情報１０１ｃ２とを含む。
【００７８】
以上のように、第１の実施形態では、画像処理装置１００において、ＦＡＸ番号を受け付けた際に、ＦＡＸ番号を用いたネットワーク検索の結果と宛先に関する第１の文字列（例えば、薬局を示す文字列）とに基づき宛先情報が検出されたか否か判定し、判定結果に応じて宛先情報又は確認を促すメッセージをＦＡＸ番号とともに表示部７６に表示させる。すなわち、画像処理装置１００は、ＦＡＸ番号を用いたネットワーク検索の結果から宛先情報が抽出（検出）された場合、宛先情報をＦＡＸ番号とともに表示部７６に表示する。これにより、ＦＡＸ番号に対する宛先が適正であるか否かをユーザに確認させることができ、宛先が適正でない場合に誤入力されたＦＡＸ番号を訂正するようにユーザに促すことができる。また、画像処理装置１００は、ＦＡＸ番号を用いたネットワーク検索の結果から宛先情報（例えば、薬局情報）が抽出（検出）されなかった場合、ＦＡＸ番号の確認を促すメッセージをＦＡＸ番号とともに表示部７６に表示する。これにより、誤入力アラートの表示を行い、誤入力されたＦＡＸ番号を訂正するようにユーザに促すことができる。したがって、ＦＡＸによる原稿（例えば、処方箋）の誤送信を抑制できる。
【００７９】
（第２の実施形態）
次に、第２の実施形態にかかる画像処理装置１００ｉを含むシステム１ｉについて説明する。以下では、第１の実施形態と異なる部分を中心に説明する。
【００８０】
第１の実施形態では、受け付けられたＦＡＸ番号を用いたネットワーク検索の結果を利用することでＦＡＸ番号が適正であるか否かの確認を行っているが、第２の実施形態では、適正にＦＡＸ送信されたＦＡＸ番号の送信履歴を利用することでＦＡＸ番号が適正であるか否かの確認の精度向上を図る。
【００８１】
具体的には、システム１ｉにおける画像処理装置１００ｉは、図１１に示すように、記憶部１１２ｉをさらに有する。図１１は、画像処理装置１００ｉ及び検索サーバ２００の機能構成を示す図である。記憶部１１２ｉは、ＨＤＤ３０（図２参照）に対応している。記憶部１１２ｉは、送信履歴情報１１２ｉ１を記憶している。すなわち、前回のＦＡＸ送信時に適正なＦＡＸ番号でＦＡＸ送信が行われていれば、画像処理装置１００ｉは、送信時刻と宛先情報とを含む送信履歴をＦＡＸ番号に対応付けて送信履歴情報１１２ｉ１に含ませることができる。宛先情報は、ネットワーク検索の結果に応じて取得された宛先情報（例えば、図７の宛先情報１０１ｂ２）である。送信履歴情報１１２ｉ１は、次の表１に示すような情報とすることができる。
【表１】
0006759741.tif 000002
【００８２】
画像処理装置１００ｉは、番号受付部１０３で受け付けられたＦＡＸ番号が記憶部１１２ｉに記憶されているか否か判断し、判断結果を表示制御部１１０へ供給する。表示制御部１１０は、ＦＡＸ番号の送信履歴が記憶部１１２ｉに記憶されている場合、ＦＡＸ番号と送信履歴とを含む第３の表示情報（図１３参照）を表示部１０１に表示させる。
【００８３】
また、画像処理装置１００ｉは、図１２に示すように、次のような動作を行う点で第１の実施形態と異なる。図１２は、画像処理装置１００ｉの動作を示すフローチャートである。
【００８４】
画像処理装置１００ｉは、スタートボタン（スタートボタンオブジェクト１０１ａ３）が押されると（Ｓ３）、履歴確認処理（Ｓ３０）を行う。具体的には、画像処理装置１００ｉは、記憶部１１２ｉにアクセスして送信履歴情報１１２ｉ１を参照する。画像処理装置１００ｉは、Ｓ２で受け付けられたＦＡＸ番号に一致する送信履歴（すなわち、Ｓ２で受け付けられたＦＡＸ番号に対応付けられた送信履歴）が送信履歴情報１１２ｉ１内に存在するか否かを判断する（Ｓ３１）。
【００８５】
画像処理装置１００ｉは、Ｓ２で受け付けられたＦＡＸ番号に一致する送信履歴が送信履歴情報１１２ｉ１内に存在しない場合（Ｓ３１でＮｏ）、第１の実施形態と同様の検索確認処理（Ｓ１０）を行う。
【００８６】
画像処理装置１００ｉは、Ｓ２で受け付けられたＦＡＸ番号に一致する送信履歴が送信履歴情報１１２ｉ１内に存在する場合（Ｓ３１でＹｅｓ）、図１３に示すような宛先確認画面１０１ｄを表示部１０１（表示部７６）に表示する（Ｓ３２）。宛先確認画面１０１ｄは、表示情報として、ＦＡＸ番号情報１０１ｄ１と送信履歴情報１０１ｄ２とを含む。また、宛先確認画面１０１ｄは、タッチパネルとして構成され、送信ボタンオブジェクト１０１ｄ３、再入力ボタンオブジェクト１０１ｄ４、及びキャンセルボタンオブジェクト１０１ｄ５を有する。
【００８７】
宛先確認画面１０１ｄにおいて、ＦＡＸ番号情報１０１ｄ１は、Ｓ２で受け付けられたＦＡＸ番号を示している。送信履歴情報１０１ｄ２は、記憶部１１２ｉの送信履歴情報１１２ｉ１からＳ２のＦＡＸ番号に対応するものとして抽出された送信履歴の情報を示している。送信履歴情報１０１ｄ２は、第１の実施形態と同様な宛先情報１０１ｄ２１を含む。送信ボタンオブジェクト１０１ｄ３は、宛先確認画面１０１ｄが確認された結果、問題ないと判断された場合に押される、ＦＡＸ送信を指示するボタンを示す。再入力ボタンオブジェクト１０１ｄ４は、宛先確認画面１０１ｄが確認された結果、Ｓ２で受け付けられたＦＡＸ番号が誤っており訂正されたＦＡＸ番号の再入力が必要であると判断された場合に押される、再入力を指示するボタンである。キャンセルボタンオブジェクト１０１ｄ５は、ＦＡＸ送信自体をキャンセルすべきであると判断された場合に押される、キャンセルを指示するボタンを示す。
【００８８】
また、画像処理装置１００ｉは、原稿の画像をＦＡＸ送信したら（Ｓ９）、内部時計により送信時刻を取得し保持しておく。その後、画像処理装置１００ｉは、ＦＡＸ受信に成功した旨の通知を公衆回線網３経由でＦＡＸ装置３００からＦＡＸ受信部１０８で受信したら、ＦＡＸ番号と送信時刻と宛先情報とを対応付けながら送信履歴情報１１２ｉ１に追加して、送信履歴情報１１２ｉ１を更新する。画像処理装置１００ｉは、更新された送信履歴情報１１２ｉ１を記憶部１１２ｉに記憶させる（Ｓ３３）。
【００８９】
以上のように、第２の実施形態では、画像処理装置１００において、ＦＡＸ番号を受け付けた際にそのＦＡＸ番号の送信履歴が存在するか否か確認し、そのＦＡＸ番号の送信履歴が存在すれば、ＦＡＸ番号と送信履歴とを含む表示情報を表示部に表示させる。これにより、適正にＦＡＸ送信されたＦＡＸ番号の送信履歴（すなわち、宛先情報を含む送信履歴）をＦＡＸ番号とともにユーザに確認させるので、第１の実施形態に比べてより多くの情報をユーザに確認させることができる。この結果、ＦＡＸ番号が適正であるか否かの確認の精度を向上できる。
【００９０】
（第３の実施形態）
次に、第３の実施形態にかかる画像処理装置１００ｊを含むシステム１ｊについて説明する。以下では、第１の実施形態と異なる部分を中心に説明する。
【００９１】
第１の実施形態では、ＦＡＸ番号の宛先情報がネットワーク検索で検出されなかった場合にＦＡＸ番号の確認を促すメッセージを画面に表示することでユーザに確認を促しているが、第３の実施形態では、ＦＡＸ番号の宛先情報がネットワーク検索で検出されなかった場合にユーザの携帯端末に原稿の画像をＦＡＸ番号とともに電子メールで送信することでユーザに確認を促す。
【００９２】
具体的には、システム１ｊにおける画像処理装置１００ｊは、図１４に示すように、アドレス受付部１１３ｊをさらに有する。アドレス受付部１１３ｊは、操作検知部７７及びＣＰＵ７１（図２参照）に対応している。アドレス受付部１１３ｊは、電子メールを送信すべき宛先となるメールアドレスを受け付ける。例えば、アドレス受付部１１３ｊは、ユーザの携帯端末のメールアドレスを受け付けることができる。アドレス受付部１１３ｊは、受け付けられたメールアドレスを保持することができる。これにより、ネットワーク送信部１０５は、アドレス受付部１１３ｊからメールアドレスを受け、そのメールアドレスに従い、原稿の画像及びＦＡＸ番号を含む電子メールをネットワーク２経由で例えばユーザの携帯端末へ送信する。
【００９３】
また、画像処理装置１００ｊは、図１５に示すように、次のような動作を行う点で第１の実施形態と異なる。図１５は、画像処理装置１００ｊの動作を示すフローチャートである。
【００９４】
画像処理装置１００ｊは、スタートボタン（スタートボタンオブジェクト１０１ａ３）の押下を検知すると、原稿をスキャンして原稿の画像を取得し（Ｓ３）、検索確認処理を行う（Ｓ１０）。
【００９５】
具体的には、画像処理装置１００ｊは、ＦＡＸ番号でネットワーク検索を行い（Ｓ４）検索結果の中に薬局を示す文字列が含まれているか否かを判断する（Ｓ５）。画像処理装置１００ｊは、検索結果の中に薬局を示す文字列が含まれている場合（Ｓ５でＹｅｓ）、図７に示すような宛先確認画面１０１ｂを表示部１０１（表示部７６）に表示し（Ｓ６）、処理をＳ８（図５参照）へ進める。画像処理装置１００ｊは、検索結果の中に薬局を示す文字列が含まれていない場合（Ｓ５でＮｏ）、図１６に示すような番号確認画面１０１ｅを表示部１０１（表示部７６）に表示する（Ｓ１０７）。番号確認画面１０１ｅは、表示情報として、ＦＡＸ番号情報１０１ｅ１とメッセージ情報１０１ｅ２とメッセージ情報１０１ｅ６とを含む。また、番号確認画面１０１ｅは、タッチパネルとして構成され、再入力ボタンオブジェクト１０１ｅ３、メールアドレス入力ボタンオブジェクト１０１ｅ４、及びキャンセルボタンオブジェクト１０１ｅ５を有する。
【００９６】
番号確認画面１０１ｅにおいて、ＦＡＸ番号情報１０１ｅ１は、Ｓ２で受け付けられたＦＡＸ番号を示している。メッセージ情報１０１ｅ２は、ＦＡＸ番号の確認を促すメッセージを示している。メッセージ情報１０１ｅ６は、メールアドレスの入力を促すメッセージを示している。再入力ボタンオブジェクト１０１ｅ３は、番号確認画面１０１ｅが確認された結果、Ｓ２で受け付けられたＦＡＸ番号が誤っており訂正されたＦＡＸ番号の再入力が必要であると判断された場合に押される、再入力を指示するボタンである。メールアドレス入力ボタンオブジェクト１０１ｅ４は、メールアドレスを入力すべきであると判断された場合に押される、メールアドレス入力画面の起動を指示するボタンを示す。キャンセルボタンオブジェクト１０１ｅ５は、ＦＡＸ送信自体をキャンセルすべきであると判断された場合に押される、キャンセルを指示するボタンを示す。
【００９７】
画像処理装置１００ｊは、原稿の画像のＦＡＸ送信について、どのボタンが押されたか判断する（Ｓ４１）。画像処理装置１００ｊは、メールアドレス入力ボタン（メールアドレス入力ボタンオブジェクト１０１ｅ４）の押下を検知した場合（Ｓ４１でメールアドレス入力ボタン押下）、図１７に示すようなメールアドレス入力画面１０１ｆを表示部１０１（表示部７６）に表示する。メールアドレス入力画面１０１ｆは、タッチパネルとして構成され、アドレス表示ウィンドウ１０１ｆ１、アドレス入力キーオブジェクト群１０１ｆ２、及びスタートボタンオブジェクト１０１ｆ３を有する。
【００９８】
画像処理装置１００ｊは、例えばユーザの携帯端末のメールアドレスを受け付ける（Ｓ４２）。アドレス入力キーオブジェクト群１０１ｆ２から所定のキーオブジェクトが押されると、アドレス表示ウィンドウ１０１ｆ１には、押されたキーオブジェクトに対応した文字等が順に追加されて表示される。図１７では、例えばユーザの携帯端末のメールアドレスとして「ＸＸＸＸＸＸ＠ａａ．ｂｂ．ｃｃ」が入力された状態が示されている。
【００９９】
画像処理装置１００ｊは、スタートボタン（スタートボタンオブジェクト１０１ｆ３）が押されると（Ｓ４３）、原稿の画像データが添付ファイルとして添付されＦＡＸ番号が本文に記載された電子メールをネットワーク２経由でユーザの携帯端末に送信する（Ｓ４４）。
【０１００】
画像処理装置１００ｊは、再入力ボタン（再入力ボタンオブジェクト１０１ｅ３）の押下を検知した場合（Ｓ４１で再入力ボタン押下）、処理をＳ２に戻す。画像処理装置１００ｊは、キャンセルボタン（キャンセルボタンオブジェクト１０１ｅ５）の押下を検知した場合（Ｓ４１でキャンセルボタン押下）、処理を終了する。
【０１０１】
以上のように、第３の実施形態では、ＦＡＸ番号の宛先情報がネットワーク検索で検出されなかった場合にユーザの携帯端末に、画像処理装置１００ｊは、原稿の画像とＦＡＸ番号とを電子メールで送信することができる。これにより、ユーザに原稿の画像の確認を促しながらＦＡＸ番号の確認を促すことができる。
【０１０２】
（第４の実施形態）
次に、第４の実施形態にかかる画像処理装置１００ｋを含むシステム１ｋについて説明する。以下では、第１の実施形態と異なる部分を中心に説明する。
【０１０３】
第１の実施形態では、画像処理装置１００で取得された原稿が適切でない場合について言及していないが、第４の実施形態では、画像処理装置１００ｋで取得された原稿が適切でない場合に原稿の確認をユーザに促し原稿の誤スキャンによる原稿の誤送信の抑制を図る。
【０１０４】
具体的には、システム１ｋにおける画像処理装置１００ｋは、図１８に示すように、抽出部１１４ｋ及び判断部１１５ｋをさらに有する。図１８は、画像処理装置１００ｋ及び検索サーバ２００の機能構成を示す図である。抽出部１１４ｋ及び判断部１１５ｋは、それぞれ、ＣＰＵ７１（図２参照）に対応している。
【０１０５】
抽出部１１４ｋは、原稿の画像のデータ（スキャンデータ）を取得部１０２から取得し、スキャンデータに対して文字認識処理（ＯＣＲ）を行って、原稿に記載された文字列を抽出する。抽出部１１４ｋは、原稿の使用期限に関する文字列（第２の文字列）をスキャンデータから抽出して判断部１１５ｋへ供給することができる。
【０１０６】
判断部１１５ｋは、第２の文字列を抽出部１１４ｋから受けると、現在の時刻に関する情報を画像処理装置１００ｋにおける内部時計から取得し、第２の文字列に示された時刻に関する情報と現在の時刻に関する情報とを比較する。判断部１１５ｋは、その比較結果に応じて、原稿が有効であるか無効であるかを判断する。
【０１０７】
例えば原稿が処方箋である場合、判断部１１５ｋは、処方箋の使用期限の日付と現在の日付とを比較する。判断部１１５ｋは、処方箋の使用期限の日付が本日であるか本日より前であれば、原稿が有効であると判断でき、処方箋の使用期限の日付が本日より後であれば、原稿が無効であると判断できる。
【０１０８】
また、画像処理装置１００ｋは、図１９に示すように、次のような動作を行う点で第１の実施形態と異なる。図１９は、画像処理装置１００ｋの動作を示すフローチャートである。
【０１０９】
画像処理装置１００ｋは、スタートボタン（スタートボタンオブジェクト１０１ａ３）の押下を検知すると、原稿（処方箋）をスキャンして原稿の画像を取得する（Ｓ３）。画像処理装置１００ｋは、原稿の画像のデータ（スキャンデータ）に対して文字認識処理（ＯＣＲ）を行って、原稿の使用期限に関する第２の文字列を抽出する（Ｓ５１）。例えば、原稿が処方箋である場合、画像処理装置１００ｋは、図２０に示すように、原稿３００ａにおける「処方せんの使用期間」の欄に記載された、原稿の使用期限を示す文字列３００ａ１を抽出することができる。
【０１１０】
画像処理装置１００ｋは、抽出された第２の文字列に示された使用期限の日付と現在の日付（本日の日付）とを比較し、使用期限の日付が本日又は本日より前であるか否かを判断する（Ｓ５２）。画像処理装置１００ｋは、使用期限の日付が本日又は本日より前である場合（Ｓ５２でＹｅｓ）、原稿が有効であると判断し、処理をＳ１０のＳ４（図５参照）へ進める。
【０１１１】
画像処理装置１００ｋは、使用期限の日付が本日より後である場合（Ｓ５２でＮｏ）、原稿が無効であると判断し、本日から使用期限の日付を減算して超過日数を計算することなどにより警告情報を生成し、図２１に示すような原稿確認画面１０１ｈを表示部１０１（表示部７６）に表示する。すなわち、画像処理装置１００ｋは、原稿が不適切であることをアラート表示する（Ｓ５３）。原稿確認画面１０１ｈは、表示情報として、警告情報１０１ｈ１とメッセージ情報１０１ｈ２とを含む。また、原稿確認画面１０１ｈは、タッチパネルとして構成され、再スキャンボタンオブジェクト１０１ｈ３、及びキャンセルボタンオブジェクト１０１ｈ４を有する。
【０１１２】
原稿確認画面１０１ｈにおいて、警告情報１０１ｈ１は、原稿の使用期限の日付が本日より後であることとその超過日数（例えば、４日以上）とを警告として示している。メッセージ情報１０１ｈ２は、別の原稿（別の処方箋）のスキャンを促すメッセージを示している。再スキャンボタンオブジェクト１０１ｈ３は、原稿確認画面１０１ｈが確認された結果、Ｓ３でスキャンされた原稿（処方箋）が誤っており適正な処方箋の再スキャンが必要であると判断された場合に押される、再スキャンを指示するボタンである。キャンセルボタンオブジェクト１０１ｈ４は、ＦＡＸ送信自体をキャンセルすべきであると判断された場合に押される、キャンセルを指示するボタンを示す。
【０１１３】
画像処理装置１００ｋは、原稿の画像のＦＡＸ送信について、どのボタンが押されたか判断する（Ｓ５４）。再スキャンボタン（再スキャンボタンオブジェクト１０１ｈ３）の押下を検知した場合（Ｓ５４で再スキャンボタン押下）、処理をＳ３に戻す（表示部７６が番号入力済みのＦＡＸ番号入力画面１０１ａに戻る）。画像処理装置１００ｋは、キャンセルボタン（キャンセルボタンオブジェクト１０１ｈ４）の押下を検知した場合（Ｓ５４でキャンセルボタン押下）、処理を終了する（表示部７６がホーム画面に戻る）。
【０１１４】
以上のように、第４の実施形態では、画像処理装置１００ｋにおいて、原稿から文字認識処理により取得された原稿の使用期限に関する第２の文字列と現在時刻に関する情報とに基づいて、原稿が有効であるか無効であるか判断する。例えば、画像処理装置１００ｋは、文字列で示される使用期限がまだ経過していない場合、原稿が有効であると判断し、文字列で示される使用期限が既に経過している場合、原稿が無効であると判断する。画像処理装置１００ｋは、原稿が無効である、すなわち取得された原稿が適切でない場合に、原稿の確認を促すメッセージを表示部７６に表示する。これにより、原稿の確認をユーザに促し原稿の誤スキャンによる原稿の誤送信を抑制することができる。
【０１１５】
（第５の実施形態）
次に、第５の実施形態にかかる画像処理装置１００ｎを含むシステム１ｎについて説明する。以下では、第４の実施形態と異なる部分を中心に説明する。
【０１１６】
第４の実施形態では、ネットワーク検索の結果から宛先情報が検出されたか否か判定する際に用いられる第１の文字列が予め固定される場合が例示されているが、第５の実施形態では、その判定に用いられる第１の文字列が原稿から抽出された原稿の種類に応じて変更され得る。
【０１１７】
具体的には、システム１ｎにおける画像処理装置１００ｎは、図２２に示すように、特定部１１６ｎをさらに有する。図２２は、画像処理装置１００ｎ及び検索サーバ２００の機能構成を示す図である。特定部１１６ｎは、ＣＰＵ７１（図２参照）に対応している。
【０１１８】
抽出部１１４ｋは、原稿の画像のデータ（スキャンデータ）を取得部１０２から取得し、スキャンデータに対して文字認識処理（ＯＣＲ）を行って、原稿に記載された文字列を抽出する。抽出部１１４ｋは、原稿の種類に関する文字列（第３の文字列）をスキャンデータから抽出して特定部１１６ｎへ供給することができる。
【０１１９】
特定部１１６ｎは、第３の文字列を抽出部１１４ｋから受けると、次の表２に示すような条件テーブルを参照する。
【表２】
0006759741.tif 000003
【０１２０】
表２に示す条件テーブルでは、レコード番号と、原稿の種類に関する第３の文字列と、原稿の宛先に関する第１の文字列と、想定シーンと、想定業種とが、複数種の第３の文字列について対応付けられている。条件テーブルは、予め決定され、特定部１１６ｎに設定しておくことができる。例えば、第３の文字列に対応する想定シーン及び想定業種が予め検討され決定されると、その想定シーン及び想定業種に合った宛先の名称が推定され、推定結果に応じて第１の文字列が予め検討され決定される。
【０１２１】
特定部１１６ｎは、条件テーブルを参照して、抽出部１１４ｋから受けた第３の文字列に対応した第１の文字列を特定する。例えば、特定部１１６ｎは、第３の文字列として「処方」を受けた場合、条件テーブルを参照して、「処方」に紐づく第１の文字列「薬局」、「ファーマシー」、「ドラッグ」を特定して判定部１０９へ供給する。これにより、判定部１０９は、ネットワーク受信部１０６から受けた検索結果と特定部１１６ｎから受けた第１の文字列とに基づき、ＦＡＸ番号に対応する宛先情報が検出されたか否か判定することができる。
【０１２２】
また、画像処理装置１００ｎは、図２３に示すように、次のような動作を行う点で第４の実施形態と異なる。図２３は、画像処理装置１００ｎの動作を示すフローチャートである。
【０１２３】
画像処理装置１００ｎは、スタートボタン（スタートボタンオブジェクト１０１ａ３）の押下を検知すると、原稿（処方箋）をスキャンして原稿の画像を取得する（Ｓ３）。画像処理装置１００ｎは、原稿の画像のデータ（スキャンデータ）に対して文字認識処理（ＯＣＲ）を行って、原稿の種類に関する第３の文字列を抽出する（Ｓ６１）。例えば、原稿が処方箋である場合、画像処理装置１００ｎは、図２０に示すように、原稿３００ａにおける冒頭に記載された、原稿の種類を示す文字列３００ａ２である「処方」を抽出することができる。
【０１２４】
画像処理装置１００ｎは、表２に示すような条件テーブルを参照し、Ｓ６１で抽出された第３の文字列に対応する第１の文字列があるか否かを判断する（Ｓ６２）。例えば、画像処理装置１００ｎは、Ｓ６１で抽出された第３の文字列に一致する文字列が条件テーブル内に存在するか否かについて、「ＯＣＲから抽出する第３の文字列」欄をレコード番号「１」から順にチェックしていく。
【０１２５】
画像処理装置１００ｎは、Ｓ６１で抽出された第３の文字列に一致する文字列が条件テーブル内に存在しない、すなわちＳ６１で抽出された第３の文字列に対応する第１の文字列がない場合（Ｓ６２でＮｏ）、原稿が不適切であることをアラート表示する（Ｓ６３）。例えば、画像処理装置１００ｎは、図２１に示す原稿確認画面１０１ｈにおける警告情報１０１ｈ１の内容が「原稿の種類が特定できないため、ＦＡＸ送信できません」に置き換えられ送信ボタンオブジェクトが追加された原稿確認画面を表示部１０１（表示部７６）に表示することができる。
【０１２６】
画像処理装置１００ｎは、原稿の画像のＦＡＸ送信について、どのボタンが押されたか判断する（Ｓ６４）。再スキャンボタン（再スキャンボタンオブジェクト１０１ｈ３）の押下を検知した場合（Ｓ６４で再スキャンボタン押下）、処理をＳ３に戻す（表示部７６が番号入力済みのＦＡＸ番号入力画面１０１ａに戻る）。画像処理装置１００ｎは、キャンセルボタン（キャンセルボタンオブジェクト１０１ｈ４）の押下を検知した場合（Ｓ６４でキャンセルボタン押下）、処理を終了する（表示部７６がホーム画面に戻る）。画像処理装置１００ｎは、送信ボタン（送信ボタンオブジェクト）の押下を検知した場合（Ｓ６４で送信ボタン押下）、処理をＳ９に進める。
【０１２７】
画像処理装置１００ｎは、Ｓ６１で抽出された第３の文字列に一致する文字列が「ＯＣＲから抽出する第３の文字列」欄に含まれていれば、Ｓ６１で抽出された第３の文字列に対応する第１の文字列がある（Ｓ６２でＹｅｓ）と判断する。画像処理装置１００ｎは、その第３の文字列に対応する「第３の文字列があった場合に、ネットワーク検索結果から抽出する第１の文字列」欄の文字列を第１の文字列として特定し、処理をＳ５１０へ進める。
【０１２８】
Ｓ５１０では、画像処理装置１００ｎは、ＦＡＸ番号でネットワーク検索を行い（Ｓ４）検索結果の中にＳ６２で特定された第１の文字列が含まれているか否かを判断する（Ｓ５０５）。画像処理装置１００ｎは、検索結果の中に第１の文字列が含まれている場合（Ｓ５０５でＹｅｓ）、図７に示すような宛先確認画面１０１ｂを表示部１０１（表示部７６）に表示し（Ｓ６）、処理をＳ８へ進める。画像処理装置１００ｎは、検索結果の中に第１の文字列が含まれていない場合（Ｓ５０５でＮｏ）、図２４に示すような番号確認画面１０１ｉを表示部１０１（表示部７６）に表示する（Ｓ５０７）。番号確認画面１０１ｉは、表示情報として、ＦＡＸ番号情報１０１ｉ１とメッセージ情報１０１ｉ２とを含む。また、番号確認画面１０１ｉは、タッチパネルとして構成され、送信ボタンオブジェクト１０１ｉ３、再入力ボタンオブジェクト１０１ｉ４、及びキャンセルボタンオブジェクト１０１ｉ５を有する。
【０１２９】
番号確認画面１０１ｉにおいて、ＦＡＸ番号情報１０１ｉ１は、Ｓ２で受け付けられたＦＡＸ番号を示している。メッセージ情報１０１ｉ２は、原稿から抽出された原稿の種類で特定される原稿の宛先がＦＡＸ番号で示される宛先に合っていないこととＦＡＸ番号の確認を促すメッセージとを示している。送信ボタンオブジェクト１０１ｉ３は、番号確認画面１０１ｉが確認された結果、問題ないと判断された場合に押される、ＦＡＸ送信を指示するボタンを示す。再入力ボタンオブジェクト１０１ｉ４は、番号確認画面１０１ｉが確認された結果、Ｓ２で受け付けられたＦＡＸ番号が誤っており訂正されたＦＡＸ番号の再入力が必要であると判断された場合に押される、再入力を指示するボタンである。キャンセルボタンオブジェクト１０１ｉ５は、ＦＡＸ送信自体をキャンセルすべきであると判断された場合に押される、キャンセルを指示するボタンを示す。
【０１３０】
以上のように、第５の実施形態では、画像処理装置１００ｎにおいて、原稿から文字認識処理により取得された原稿の種類に関する第３の文字列に応じて、宛先に関する第１の文字列を特定し、ＦＡＸ番号を用いたネットワーク検索の結果と特定された第１の文字列とに基づき、ＦＡＸ番号に対応する宛先情報が検出されたか否か判定する。これにより、第１の文字列が原稿から抽出された原稿の種類に応じて変更され得るので、ネットワーク検索の結果から宛先情報が検出されたか否かを原稿の種類ごとに適切に判定できる。
【０１３１】
（第６の実施形態）
次に、第６の実施形態にかかる画像処理装置１００ｐを含むシステム１ｐについて説明する。以下では、第５の実施形態と異なる部分を中心に説明する。
【０１３２】
第５の実施形態では、ＦＡＸ番号を用いたネットワーク検索の結果に第１の文字列が含まれていない場合にそのままアラート表示しているが、第６の実施形態では、ＦＡＸ番号に近似したＦＡＸ番号を用いてネットワーク検索を行い修正すべきＦＡＸ番号の候補を提示する。
【０１３３】
具体的には、システム１ｐにおける画像処理装置１００ｐは、図２５に示すように、候補作成部１１７ｐをさらに有する。図２５は、画像処理装置１００ｐ及び検索サーバ２００の機能構成を示す図である。候補作成部１１７ｐは、ＣＰＵ７１（図２参照）に対応している。
【０１３４】
候補作成部１１７ｐは、ＦＡＸ番号に対応する宛先情報が検出されたか否かの判定結果を判定部１０９から受ける。候補作成部１１７ｐは、ＦＡＸ番号に対応する宛先情報が検出されなかった場合、番号受付部１０３で受け付けられたＦＡＸ番号に近似したＦＡＸ番号（近似ＦＡＸ番号）を作成して要求作成部１０４へ供給する。例えば、候補作成部１１７ｐは、番号受付部１０３で受け付けられたＦＡＸ番号のうち１つの番号を異なる番号に置き換えることで近似ＦＡＸ番号を作成することができる。近似ＦＡＸ番号は、修正すべきＦＡＸ番号の候補となる。
【０１３５】
要求作成部１０４は、近似ＦＡＸ番号を用いた第２の検索要求を作成する。要求作成部１０４は、近似ＦＡＸ番号をキーワードとしてテキスト検索することを要求する第２の検索要求を作成することができる。要求作成部１０４は、第２の検索要求をｈｔｔｐリクエストとしてテキスト形式で作成することができる。要求作成部１０４は、作成された第２の検索要求をネットワーク送信部１０５へ供給する。
【０１３６】
ネットワーク送信部１０５は、第２の検索要求（ｈｔｔｐリクエスト）をネットワーク２経由で検索サーバ２００へ送信する。
【０１３７】
ネットワーク受信部１０６は、第２の検索要求の応答として第２の検索結果（ｈｔｔｐレスポンス）をネットワーク２経由で検索サーバ２００から受信する。ネットワーク受信部１０６は、第２の検索結果（ｈｔｔｐレスポンス）を判定部１０９へ供給する。
【０１３８】
判定部１０９は、第２の検索結果と宛先に関する第１の文字列とに基づき、近似ＦＡＸ番号に対応する宛先情報が検出されたか否か判定する。判定部１０９は、薬局を示す文字列が第２の検索結果に含まれていれば、宛先情報が検出されたと判定できる。判定部１０９は、判定結果を表示制御部１１０へ供給する。
【０１３９】
表示制御部１１０は、ＦＡＸ番号についての判定結果と近似ＦＡＸ番号についての判定結果とをそれぞれ受けることができる。表示制御部１１０は、ＦＡＸ番号に対応する宛先情報が検出されず且つ近似ＦＡＸ番号に対応する宛先情報が検出された場合、ＦＡＸ番号とＦＡＸ番号の確認を促すメッセージと宛先候補情報とを含む第２の表示情報を表示部７６に表示させる。宛先候補情報は、修正すべきＦＡＸ番号の候補として提示される近似ＦＡＸ番号を示す。
【０１４０】
また、画像処理装置１００ｐは、図２６に示すように、次のような動作を行う点で第５の実施形態と異なる。図２６は、画像処理装置１００ｐの動作を示すフローチャートである。
【０１４１】
画像処理装置１００ｐは、スタートボタン（スタートボタンオブジェクト１０１ａ３）の押下を検知すると、原稿をスキャンして原稿の画像を取得する（Ｓ３）。例えば、学校関係者が共有ＭＦＰで名簿をスキャンしＦＡＸ送信する場合、画像処理装置１００ｐは、図２７に示されるような原稿をスキャンして原稿の画像を取得する。
【０１４２】
画像処理装置１００ｐは、原稿の画像のデータ（スキャンデータ）に対して文字認識処理（ＯＣＲ）を行って、原稿の種類に関する第３の文字列を抽出する（Ｓ６１）。例えば、原稿が学生名簿である場合、画像処理装置１００ｐは、図２７に示すように、原稿３００ｂにおける冒頭に記載された、原稿の種類を示す文字列３００ｂ１である「名簿」を抽出することができる。
【０１４３】
画像処理装置１００ｐは、Ｓ６１で抽出された第３の文字列に対応する第１の文字列がある場合（Ｓ６２でＹｅｓ）、第３の文字列に対応する第１の文字列を特定し、処理をＳ６１０へ進める。
【０１４４】
Ｓ６１０では、画像処理装置１００ｐは、ＦＡＸ番号でネットワーク検索を行い（Ｓ４）検索結果の中にＳ６２で特定された第１の文字列が含まれているか否かを判断する（Ｓ５０５）。画像処理装置１００ｐは、検索結果の中に第１の文字列が含まれている場合（Ｓ５０５でＹｅｓ）、図７に示すような宛先確認画面１０１ｂを表示部１０１（表示部７６）に表示し（Ｓ６）、処理をＳ８へ進める。画像処理装置１００ｐは、検索結果の中に第１の文字列が含まれていない場合（Ｓ５０５でＮｏ）、Ｓ２で受け付けられたＦＡＸ番号に近似したＦＡＸ番号（近似ＦＡＸ番号）を作成し、近似ＦＡＸ番号でネットワーク検索を行う（Ｓ６１１）。画像処理装置１００ｐは、近似ＦＡＸ番号を用いたネットワーク検索で得られた第２の検索結果の中にＳ６２で特定された第１の文字列が含まれているか否かを判断する（Ｓ６１２）。画像処理装置１００ｐは、第２の検索結果の中に第１の文字列が含まれていない場合（Ｓ６１２でＮｏ）、図２４に示すような番号確認画面１０１ｉを表示部１０１（表示部７６）に表示する（Ｓ５０７）。画像処理装置１００ｐは、第２の検索結果の中に第１の文字列が含まれている場合（Ｓ６１２でＹｅｓ）、図２８に示すような番号確認画面１０１ｊを表示部１０１（表示部７６）に表示する（Ｓ６１３）。番号確認画面１０１ｊは、表示情報として、ＦＡＸ番号情報１０１ｊ１とメッセージ情報１０１ｊ２と宛先候補情報１０１ｊ６を含む。また、番号確認画面１０１ｊは、タッチパネルとして構成され、送信ボタンオブジェクト１０１ｊ３、再入力ボタンオブジェクト１０１ｊ４、及びキャンセルボタンオブジェクト１０１ｊ５を有する。
【０１４５】
番号確認画面１０１ｊにおいて、ＦＡＸ番号情報１０１ｊ１は、Ｓ２で受け付けられたＦＡＸ番号を示している。メッセージ情報１０１ｊ２は、原稿から抽出された原稿の種類で特定される原稿の宛先がＦＡＸ番号で示される宛先に合っていないこととＦＡＸ番号の確認を促すメッセージとを示している。宛先候補情報１０１ｊ６は、修正すべきＦＡＸ番号の候補として近似ＦＡＸ番号（例えば、Ｓ２で受け付けられたＦＡＸ番号に対して１つの番号を異なる番号に置き換えることで作成された番号）を示している。送信ボタンオブジェクト１０１ｊ３は、番号確認画面１０１ｊが確認された結果、問題ないと判断された場合に押される、ＦＡＸ送信を指示するボタンを示す。再入力ボタンオブジェクト１０１ｊ４は、番号確認画面１０１ｊが確認された結果、Ｓ２で受け付けられたＦＡＸ番号が誤っており訂正されたＦＡＸ番号の再入力が必要であると判断された場合に押される、再入力を指示するボタンである。キャンセルボタンオブジェクト１０１ｊ５は、ＦＡＸ送信自体をキャンセルすべきであると判断された場合に押される、キャンセルを指示するボタンを示す。
【０１４６】
以上のように、第６の実施形態では、画像処理装置１００ｐにおいて、受け付けられたＦＡＸ番号に近似したＦＡＸ番号を用いてネットワーク検索を行い修正すべきＦＡＸ番号の候補を提示するので、ＦＡＸ番号が適正であるか否か確認する際のユーザの負担を軽減できる。
【符号の説明】
【０１４７】
１，１ｉ，１ｊ，１ｋ，１ｎ，１ｐ  システム（情報処理システム）
７０  操作部（情報処理装置）
１００，１００ｉ，１００ｊ，１００ｋ，１００ｎ，１００ｐ  画像処理装置
１０１  表示部
１０３  番号受付部
１０９  判定部
１１０  表示制御部
１１４ｋ  抽出部
１１５ｋ  判断部
１１６ｎ  特定部
１１７ｐ  候補作成部
【先行技術文献】
【特許文献】
【０１４８】
【特許文献１】特開２００９−３８４２７号公報
【図１】
0006759741.tif 000004
【図２】
0006759741.tif 000005
【図３】
0006759741.tif 000006
【図４】
0006759741.tif 000007
【図５】
0006759741.tif 000008
【図６】
0006759741.tif 000009
【図７】
0006759741.tif 000010
【図８】
0006759741.tif 000011
【図９】
0006759741.tif 000012
【図１０】
0006759741.tif 000013
【図１１】
0006759741.tif 000014
【図１２】
0006759741.tif 000015
【図１３】
0006759741.tif 000016
【図１４】
0006759741.tif 000017
【図１５】
0006759741.tif 000018
【図１６】
0006759741.tif 000019
【図１７】
0006759741.tif 000020
【図１８】
0006759741.tif 000021
【図１９】
0006759741.tif 000022
【図２０】
0006759741.tif 000023
【図２１】
0006759741.tif 000024
【図２２】
0006759741.tif 000025
【図２３】
0006759741.tif 000026
【図２４】
0006759741.tif 000027
【図２５】
0006759741.tif 000028
【図２６】
0006759741.tif 000029
【図２７】
0006759741.tif 000030
【図２８】
0006759741.tif 000031